(57)【要約】【課題】  原稿画像データを保存する際の利便性を向上できる画像形成装置を提供する。【解決手段】  複写の対象となる原稿画像を読み取るスキャナを備え、当該スキャナによって得られた原稿画像データを保持するとともに、当該原稿画像データに基づく画像を媒体上に形成する画像形成装置であって、前記原稿画像データをカラー又はモノクロのどちらの保存モードで保存するかを選択させる手段と、前記原稿画像データに基づく画像をカラー又はモノクロのどちらの形成モードで媒体上に形成させるかを選択させる手段と、を含み、前記選択された保存モードで前記原稿画像データを保持し、前記選択された形成モードで前記原稿画像データに基づく画像を媒体上に形成する画像形成装置とする。【選択図】      図２
2006279093.tif 000002
【特許請求の範囲】
【請求項１】
複写の対象となる原稿画像を読み取るスキャナを備え、当該スキャナによって得られた原稿画像データを保持するとともに、当該原稿画像データに基づく画像を媒体上に形成する画像形成装置であって、
前記原稿画像データをカラー又はモノクロのどちらの保存モードで保存するかを選択させる手段と、
前記原稿画像データに基づく画像をカラー又はモノクロのどちらの形成モードで媒体上に形成させるかを選択させる手段と、
を含み、
前記選択された保存モードで前記原稿画像データを保持し、前記選択された形成モードで前記原稿画像データに基づく画像を媒体上に形成することを特徴とする画像形成装置。
【請求項２】
請求項１に記載の画像形成装置において、
前記保存モード又は前記形成モードのうち少なくとも一方にカラーモードが選択されたか否かを判断し、少なくとも一方にカラーモードが選択されている場合には、前記スキャナによる原稿画像の読取モードとしてカラーモードを選択する読取モード選択手段をさらに含み、
前記スキャナは、前記読取モード選択手段により選択された読取モードで前記原稿画像を読み取る、
ことを特徴とする画像形成装置。
【請求項３】
複写の対象となる原稿画像を読み取るスキャナを備え、当該スキャナによって得られた原稿画像データを保持するとともに、当該原稿画像データに基づく画像を媒体上に形成する画像形成装置であって、
前記原稿画像データの保存態様を指示する手段と、
前記原稿画像データに基づく画像を媒体上に画像形成する記録態様を指示する手段と、
を含み、
前記保存態様と前記記録態様とに基づいて前記スキャナにおける前記原稿画像を読み取る態様を決定し、読み取った前記原稿画像データを指示された前記保存態様で保持するとともに前記原稿画像データに基づいて指示された前記前記媒体上に前記選択された形成モードで前記原稿画像データに基づく画像を媒体上に形成することを特徴とする画像形成装置。
【請求項４】
コンピュータに、複写の対象となる原稿画像を読み取って得た原稿画像データを保持させるとともに、当該原稿画像データに基づく画像を媒体上に形成させる画像形成方法であって、
前記原稿画像データをカラー又はモノクロのどちらの保存モードで保存するかを選択させる工程と、
前記原稿画像データに基づく画像をカラー又はモノクロのどちらの形成モードで媒体上に形成させるかを選択させる工程と、
を実行させ、
コンピュータに、前記選択された保存モードで前記原稿画像データを保持させ、前記選択された形成モードで前記原稿画像データに基づく画像を媒体上に形成させる
ことを特徴とする画像形成方法。
【請求項５】
コンピュータに、複写の対象となる原稿画像を読み取って得た原稿画像データを保持させるとともに、当該原稿画像データに基づく画像を媒体上に形成させるプログラムであって、
前記原稿画像データをカラー又はモノクロのどちらの保存モードで保存するかを選択させる手順と、
前記原稿画像データに基づく画像をカラー又はモノクロのどちらの形成モードで媒体上に形成させるかを選択させる手順と、
を実行させ、
コンピュータに、前記選択された保存モードで前記原稿画像データを保持させ、前記選択された形成モードで前記原稿画像データに基づく画像を媒体上に形成させる
ことを特徴とするプログラム。
【発明の詳細な説明】
【技術分野】
【０００１】
本発明は、画像形成処理において取得した原稿画像データを保持する画像形成装置に関する。
【背景技術】
【０００２】
紙文書等に形成された原稿画像を読み取り、当該読取処理によって得られた原稿画像データに基づく複写画像を媒体上に形成する画像形成装置として、当該原稿画像データを保存しておくコピーサーバを備えたものがある（例えば、特許文献１）。
【０００３】
このような画像形成装置においては、例えば、コピーサーバに保存しておいた原稿画像データを後日読み出して再利用することができるため、便利である。
【特許文献１】特開２００４−８０６２７号公報
【発明の開示】
【発明が解決しようとする課題】
【０００４】
しかしながら、上記従来の画像形成装置においては、例えば、複写処理の対象となった原稿画像について、媒体上への複写画像の形成はカラーモードで行い、コピーサーバへの原稿画像データの保存はモノクロモードで行うといった場合には、いったんカラーモードで画像形成処理を行った後に、再度、モノクロモードで原稿画像データを取得し直して保存する必要があり、利便性が低かった。
【０００５】
本発明は、上記課題に鑑みて為されたものであり、原稿画像データを保存する際の利便性を向上できる画像形成装置を提供することをその目的のひとつとする。
【課題を解決するための手段】
【０００６】
上記課題を解決するための本発明の一実施形態に係る画像形成装置は、複写の対象となる原稿画像を読み取るスキャナを備え、当該スキャナによって得られた原稿画像データを保持するとともに、当該原稿画像データに基づく画像を媒体上に形成する画像形成装置であって、前記原稿画像データをカラー又はモノクロのどちらの保存モードで保存するかを選択させる手段と、前記原稿画像データに基づく画像をカラー又はモノクロのどちらの形成モードで媒体上に形成させるかを選択させる手段と、を含み、前記選択された保存モードで前記原稿画像データを保持し、前記選択された形成モードで前記原稿画像データに基づく画像を媒体上に形成することを特徴とする。
【０００７】
また、前記保存モード又は前記形成モードのうち少なくとも一方にカラーモードが選択されたか否かを判断し、少なくとも一方にカラーモードが選択されている場合には、前記スキャナによる原稿画像の読取モードとしてカラーモードを選択する読取モード選択手段をさらに含み、前記スキャナは、前記読取モード選択手段により選択された読取モードで前記原稿画像を読み取ることとしてもよい。
【０００８】
本発明の他の実施形態に係る画像形成装置は、複写の対象となる原稿画像を読み取るスキャナを備え、当該スキャナによって得られた原稿画像データを保持するとともに、当該原稿画像データに基づく画像を媒体上に形成する画像形成装置であって、前記原稿画像データの保存態様を指示する手段と、前記原稿画像データに基づく画像を媒体上に画像形成する記録態様を指示する手段と、を含み、前記保存態様と前記記録態様とに基づいて前記スキャナにおける前記原稿画像を読み取る態様を決定し、読み取った前記原稿画像データを指示された前記保存態様で保持するとともに前記原稿画像データに基づいて指示された前記前記媒体上に前記選択された形成モードで前記原稿画像データに基づく画像を媒体上に形成することを特徴とする。
【０００９】
また、本発明の一実施形態に係る画像形成方法は、コンピュータに、複写の対象となる原稿画像を読み取って得た原稿画像データを保持させるとともに、当該原稿画像データに基づく画像を媒体上に形成させる画像形成方法であって、前記原稿画像データをカラー又はモノクロのどちらの保存モードで保存するかを選択させる工程と、前記原稿画像データに基づく画像をカラー又はモノクロのどちらの形成モードで媒体上に形成させるかを選択させる工程と、を実行させ、コンピュータに、前記選択された保存モードで前記原稿画像データを保持させ、前記選択された形成モードで前記原稿画像データに基づく画像を媒体上に形成させることを特徴とする。
【００１０】
また、本発明の一実施形態に係るプログラムは、コンピュータに、複写の対象となる原稿画像を読み取って得た原稿画像データを保持させるとともに、当該原稿画像データに基づく画像を媒体上に形成させるプログラムであって、前記原稿画像データをカラー又はモノクロのどちらの保存モードで保存するかを選択させる手順と、前記原稿画像データに基づく画像をカラー又はモノクロのどちらの形成モードで媒体上に形成させるかを選択させる手順と、を実行させ、コンピュータに、前記選択された保存モードで前記原稿画像データを保持させ、前記選択された形成モードで前記原稿画像データに基づく画像を媒体上に形成させることを特徴とする。
【発明を実施するための最良の形態】
【００１１】
以下に、本発明の一実施の形態に係る画像形成装置について、図面を参照しつつ説明する。図１は、本実施形態に係る画像形成装置の主な構成を示すブロック図である。図１に示すように、この画像形成装置１は、制御部１０と、記憶部２０と、原稿画像読取部３０と、ユーザインターフェース部４０と、出力部５０と、を含んで構成されている。
【００１２】
制御部１０は、ＣＰＵ（Ｃｅｎｔｒａｌ  Ｐｒｏｃｅｓｓｉｎｇ  Ｕｎｉｔ）等によって実現され、記憶部２０に格納されているプログラムに従って動作する。この制御部１０が行う処理の具体的な内容については、後に詳しく述べる。
【００１３】
記憶部２０は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｒｙ）等のメモリ素子、並びにハードディスク等によって実現できる。この記憶部２０は、制御部１０が実行するプログラム（ソフトウェア）を格納している。また、この記憶部２０は、制御部１０が行う処理の過程で利用される種々のデータを格納するワークメモリとしても動作する。
【００１４】
原稿画像読取部３０は、スキャナ装置等によって実現できる。この原稿画像読取部３０は、制御部１０から入力される指示に従って、複写処理の対象となった原稿上に形成された画像（例えば、テキスト、線図、写真等を含む。）を読み取り、当該原稿画像を表すビットマップデータ等からなる原稿画像データを生成し、制御部１０に出力する。
【００１５】
ユーザインターフェース部４０は、タッチパネル、液晶ディスプレイ、入力用デバイス（キーボード、マウス、タッチパッド等）等によって実現できる。このユーザインターフェース部４０は、制御部１０から入力される指示に従って、制御部１０から入力されるデータに基づいた画面（例えば、画像形成装置１のユーザに指示の入力を促す案内画面）をユーザに表示する。また、このユーザインターフェース部４０は、ユーザから画像形成装置１が行う画像形成処理に関する指示の入力を受け入れて、制御部１０に出力する。
【００１６】
出力部５０は、プリンタ装置等によって実現できる。この出力部５０は、制御部１０から入力される指示に従って、制御部１０から入力される原稿画像データに基づく画像を紙面等の媒体上に形成し、当該媒体を出力する。
【００１７】
次に、制御部１０が行う処理の内容について詳しく説明する。本実施形態に係る制御部１０は、原稿画像データに基づく画像形成処理における形成モードと、原稿画像データの保存処理における保存モードと、のそれぞれについて別個に、モノクロモード／カラーモードの別を選択する処理を行い、さらに、当該選択された形成モードと保存モードとに基づき、原稿画像の読取処理における読取モードとしてモノクロモード／カラーモードの別を選択する処理を行う。
【００１８】
ここで、本実施形態において、モノクロモードとは、グレースケール又は白黒二値のモードを指す。また、本実施形態において、カラーモードとモノクロモードとには、それぞれのモードが選択された場合に用いられる解像度や階調等の条件が予め定められている。すなわち、例えば、カラーモードが選択された場合には、解像度６００ｄｐｉ（ｄｏｔ  ｐｅｒ  ｉｎｃｈ）且つ２５６階調との条件、また、モノクロモードが選択された場合には、解像度２００ｄｐｉ且つ２階調との条件、がそれぞれ用いられることとなる。なお、カラーモード又はモノクロモードに対応する解像度と階調性との組み合わせはこの例に限られない。
【００１９】
図２は、この制御部１０によって行われる主な処理を示す機能ブロック図である。図２に示すように、この制御部１０が実行するプログラムは、形成モード選択処理部１１と、保存モード選択処理部１２と、原稿画像データ取得処理部１３と、画像形成処理部１４と、保存処理部１５と、を機能的に含む。
【００２０】
形成モード選択処理部１１は、原稿画像データに基づく画像をカラー又はモノクロのどちらの形成モードで媒体上に形成させるかを選択する処理を行う。具体的に、この形成モード選択処理部１１は、原稿画像データに基づく出力画像を媒体上に形成する際にカラー又はモノクロのどちらの形成モードを選択するか、ユーザからの指示の入力を促す案内画面をユーザインターフェース部４０に提示させる。
【００２１】
また、この形成モード選択処理部１１は、カラー又はモノクロのどちらかの形成モードを指定するユーザからの指示入力をインターフェース部４０から受け入れて、原稿画像データ取得処理部１３と画像形成処理部１４とに出力する。
【００２２】
保存モード選択処理部１２は、原稿画像データをカラー又はモノクロのどちらの保存モードで記憶部２０に保存するかを選択する処理を行う。具体的に、この保存モード選択処理部１２は、カラー又はモノクロのどちらの保存モードを選択するか、ユーザからの指示の入力を促す案内画面をユーザインターフェース部４０に提示させる。
【００２３】
また、この保存モード選択処理部１２は、カラー又はモノクロのどちらかの保存モードを指定するユーザからの指示入力をインターフェース部４０から受け入れて、原稿画像データ取得処理部１３と保存処理部１５とに出力する。
【００２４】
原稿画像データ取得処理部１３は、形成モード選択処理部１１から受け入れた指示が指定する形成モードと、保存モード選択処理部１２から受け入れた指示が指定する保存モードと、のうち、いずれか一方のモードを読取モードとして決定し、当該決定した読取モードで読み取られた原稿画像データを取得する。
【００２５】
具体的に、この原稿画像データ取得処理部１３は、例えば、形成モードと保存モードとのうち、少なくとも一方についてカラーモードが選択されているか否かを判断し、少なくとも一方にカラーモードが選択されていると判断した場合には、読取モードとしてカラーモードを選択し、当該選択したカラーモードで原稿画像を読み取るよう原稿画像読取部３０に指示する。
【００２６】
そして、この原稿画像データ取得部１３は、原稿画像読取部３０がカラーモードで読み取った原稿画像データを取得し、当該カラー画像データを画像形成処理部１４と保存処理部１５とに出力する。
【００２７】
すなわち、この場合、原稿画像データ取得処理部１３は、例えば、形成モードとしてモノクロモードが選択されている場合であっても、保存モードとしてカラーモードが選択されている場合には、読取モードとしてカラーモードを選択し、原稿画像読取部３０からカラーモードの原稿画像データを取得する。
【００２８】
また、この原稿画像データ取得処理部１３は、例えば、形成モードとしてモノクロモードが選択され、且つ保存モードとしてもモノクロモードが選択されている場合には、読取モードとしてモノクロモードを選択し、当該選択したモノクロモードで原稿画像データを読み取るよう原稿画像読取部３０に指示する。
【００２９】
そして、この原稿画像データ取得部１３は、原稿画像読取部３０がモノクロモードで読み取った原稿画像データを取得し、当該モノクロ画像データを画像形成処理部１４と保存処理部１５とに出力する。
【００３０】
画像形成処理部１４は、原稿画像データ取得処理部１３から受け入れた原稿画像データに基づく複写画像を、形成モード選択処理部１１から受け入れた指示によって指定される形成モードで、媒体上に形成する処理を行う。
【００３１】
具体的に、この画像形成処理部１４は、例えば、原稿画像データ取得処理部１３からカラーモードで生成された原稿画像データを受け入れ、且つ形成モード選択処理部１１から形成モードとしてカラーモードを指定する指示を受け入れた場合には、当該カラーモードの原稿画像データに基づく出力画像を媒体上に形成するよう出力部５０に命令する。
【００３２】
また、この画像形成処理部１４は、例えば、原稿画像データ取得処理部１３からカラーモードで生成された原稿画像データを受け入れ、且つ形成モード選択処理部１１から形成モードとしてモノクロモードを指定する指示を受け入れた場合には、当該カラーモードの原稿画像データをモノクロ画像データに変換する処理を行い、当該変換後のモノクロモードの原稿画像データに基づく出力画像を媒体上に形成するよう出力部５０に命令する。
【００３３】
また、この画像形成処理部１４は、例えば、原稿画像データ取得処理部１３からモノクロモードで生成された原稿画像データを受け入れ、且つ形成モード選択処理部１１から形成モードとしてモノクロモードを指定する指示を受け入れた場合には、当該モノクロモードの原稿画像データに基づく出力画像を媒体上に形成するよう出力部５０に命令する。
【００３４】
そして、この結果、出力部５０は、画像形成処理部１４から受け入れた命令に従って、当該画像形成処理部１４から受け入れた原稿画像データに基づく画像を、当該画像形成処理部１４から指定された形成モードで媒体上に形成する。
【００３５】
なお、この出力部５０は、画像形成処理部１４からの指示に加え、ユーザインターフェース４０からも、画像形成処理における各種条件（出力用紙のサイズや原稿画像データの拡大・縮小倍率等）を指定するユーザからの指示を受け入れて、これらの指示に基づいた画像形成処理を行うこととしてもよい。
【００３６】
保存処理部１５は、原稿画像データ取得処理部１３から受け入れた原稿画像データを、保存モード選択処理部１２から受け入れた指示によって指定される保存モードで、記憶部２０に保存する処理を行う。
【００３７】
具体的に、この保存処理部１５は、例えば、原稿画像データ取得処理部１３からカラーモードで生成された原稿画像データを受け入れ、且つ保存モード選択処理部１２から保存モードとしてカラーモードを指定する指示を受け入れた場合には、当該カラーモードの原稿画像データを記憶部２０に保存する。
【００３８】
また、この保存処理部１５は、例えば、原稿画像データ取得処理部１３からカラーモードで生成された原稿画像データを受け入れ、且つ保存モード選択処理部１２から保存モードとしてモノクロモードを指定する指示を受け入れた場合には、当該カラーモードの原稿画像データをモノクロ画像データに変換する処理を行い、当該変換後のモノクロモードの原稿画像データを記憶部２０に保存する。
【００３９】
また、この保存処理部１５は、例えば、原稿画像データ取得処理部１３からモノクロモードで生成された原稿画像データを受け入れ、且つ保存モード選択処理部１２から保存モードとしてモノクロモードを指定する指示を受け入れた場合には、当該モノクロモードの原稿画像データを記憶部２０に保存する。
【００４０】
次に、制御部１０が行う主な処理の流れについて説明する。図３は、この制御部１０が行う主な処理を示すフロー図である。
【００４１】
図３に示すように、まず原稿画像データ取得処理部１３は、形成モード選択処理部１１によって選択された形成モードがカラーか否かを判断する（Ｓ１００）。
【００４２】
この処理Ｓ１００において、形成モードがカラーでないと判断された場合（処理Ｓ１００においてＮｏ）には、原稿画像データ取得処理部１３は、さらに保存モード選択処理部１２によって選択された保存モードがカラーか否かを判断する（Ｓ１０１）。
【００４３】
そして、この処理Ｓ１０１において、保存モードがカラーでないと判断された場合（処理Ｓ１０１においてＮｏ）には、原稿画像データ取得処理部１３は、読取モードとしてモノクロを選択する（Ｓ１０２）。
【００４４】
さらに、この原稿画像データ取得処理部１３は、原稿画像読取部３０にモノクロモードで原稿画像データを読み取らせ（Ｓ１０３）、当該読み取らせたモノクロモードの原稿画像データを画像形成処理部１４と保存処理部１５とに出力する。
【００４５】
この場合、保存処理部１５は、原稿画像データ取得処理部１３から受け入れたモノクロモードの原稿画像データを記憶部２０に保存し（Ｓ１０４）、画像形成処理部１４は、原稿画像データ取得処理部１３から受け入れたモノクロモードの原稿画像データに基づく出力画像を媒体上に形成させる（Ｓ１０５）。
【００４６】
また、処理Ｓ１０１において、保存モードとしてカラーモードが選択されていると判断された場合（処理Ｓ１０１においてＹｅｓ）には、原稿画像データ取得処理部１３は、読取モードとしてカラーを選択する（Ｓ１０６）。
【００４７】
そして、この原稿画像データ取得処理部１３は、原稿画像読取部３０にカラーモードで原稿画像データを読み取らせ（Ｓ１０７）、当該読み取らせたカラーモードの原稿画像データを画像形成処理部１４と保存処理部１５とに出力する。
【００４８】
この場合、保存処理部１５は、原稿画像取得処理部１３から受け入れたカラーモードの原稿画像データを記憶部２０に保存し（Ｓ１０８）、画像形成処理部１４は、原稿画像データ取得処理部１３から受け入れたカラーモードの原稿画像データをモノクロ画像データに変換し、当該変換後のモノクロモードの原稿画像データに基づく画像を媒体上に形成させる（Ｓ１０９）。
【００４９】
また、処理Ｓ１００において、形成モードとしてカラーモードが選択されていると判断された場合（処理Ｓ１００においてＹｅｓ）には、原稿画像データ取得処理部１３は、読取モードとしてカラーを選択する（Ｓ１１０）。
【００５０】
そして、この原稿画像データ取得処理部１３は、原稿画像読取部３０にカラーモードで原稿画像データを読み取らせ（Ｓ１１１）、当該読み取らせたカラーモードの原稿画像データを画像形成処理部１４と保存処理部１５とに出力する。
【００５１】
この場合、画像形成処理部１４は、原稿画像データ取得処理部１３から受け入れたカラーモードの原稿画像データに基づく画像を媒体上に形成させる（Ｓ１１２）。
【００５２】
一方、保存処理部１５は、保存モード選択処理部１２によって選択された保存モードがカラーか否かを判断する（Ｓ１１３）。
【００５３】
そして、この処理Ｓ１１３における判断の結果、保存モードとしてカラーモードが選択されていない場合（処理Ｓ１１３においてＮｏ）には、保存処理部１５は、原稿画像データ取得処理部１３から受け入れたカラーモードの原稿画像データをモノクロ画像データに変換し、当該変換後のモノクロモードの原稿画像データを記憶部２０に保存する（Ｓ１１４）。
【００５４】
また、この処理Ｓ１１３において、保存モードとしてカラーモードが選択されていると判断した場合（処理Ｓ１１３においてＹｅｓ）には、保存処理部１５は、原稿画像データ取得処理部１３から受け入れたカラーモードの原稿画像データを記憶部２０に保存する（Ｓ１１５）。
【００５５】
なお、本発明に係る画像形成装置は、本実施形態のものに限られない。例えば、原稿画像読取部３０において、原稿をプラテンにセットして読み取るプラテン方式と、原稿を連続的に送って読み取る自動送り方式と、のいずれか一方の原稿受入方式をユーザが任意に選択できる場合には、当該原稿画像読取部３０は、ユーザがプラテン方式又は自動送り方式のいずれを選択したかを制御部１０に通知することとしてもよい。
【００５６】
この場合、制御部１０は、この通知に基づいて、すなわち、原稿画像読取部３０において選択された原稿受入方式の別に応じて、形成モード又は保存モードを選択することとしてもよい。具体的に、この場合、例えば、保存モード選択処理部１２は、原稿画像読取部３０においてプラテン方式が選択されている場合には、保存モードとしてカラーモードを選択することとしてもよい。すなわち、例えば、ユーザインターフェース部４０は形成モードを指定するよう求める操作画面をユーザに提示し、形成モード選択処理部１１は、当該ユーザインターフェース部４０からユーザによる形成モードの指定を受け入れて、当該指定された形成モードを選択する。一方、保存モード選択処理部１２は、例えば、形成モード選択処理部１１が形成モードとしてモノクロモードを選択した場合であっても、原稿画像読取部３０からユーザによってプラテン方式が選択された旨の通知を受け入れた場合には、モノクロ画像に比べて再利用性の高いカラー画像を保存するため、当該形成モードにかかわらず、カラーモードを保存モードとして選択する。スキャナの生産性（１分間に原稿を読み込む速度）の高い自動原稿送り方式の場合においては、形成モードをモノクロで設定したユーザに対して勝手に保存モードをカラーで設定すると、画像サイズの大きいカラー画像を処理するのに時間がかかるため、スキャナだけでなくカラーモードで画像形成する場合はプリンタの生産性も低下し、ユーザに不快感を与える。一方、生産性の低いプラテン方式の場合においては、形成モードをモノクロで設定したユーザに対して勝手に保存モードをカラーで設定したとしても、ユーザへの不快感を与えない。
【００５７】
また、制御部１０は、形式モードと保存モードとのそれぞれが選択された場合に用いる解像度や階調等の詳細な条件を指定するユーザからの指示入力を、ユーザインターフェース部４０から受け入れることとしてもよい。この場合、制御部１０は、ユーザから指定された解像度や階調等のカラーモード又はモノクロモードで画像形成処理や原稿画像データの保存処理を行う。
【００５８】
また、上述の例においては、制御部１０は、解像度が６００ｄｐｉ且つ２５６階調のカラーモード又は２００ｄｐｉ且つ２階調のモノクロモードを選択する場合について示したが、これに限られず、例えば、形成モード選択処理部１１と保存モード選択処理部１２とは、形成態様又は保存態様として、カラー／モノクロモード選択以外にも、解像度（２００ｄｐｉ／３００ｄｐｉ／４００ｄｐｉ／６００ｄｐｉ等）や階調性（２値／６４値／２５６値）等の態様を選択することとしてもよい。
【００５９】
すなわち、例えば、この制御部１０は、カラー／モノクロモード選択、解像度および階調性をそれぞれ任意に組み合わせた形成態様や保存態様を選択して形成処理や保存処理を行うこととしてもよい。
【００６０】
この場合、例えば、ユーザインターフェース部４０は、ユーザに対して、形成態様として用いる形成モード（カラー又はモノクロ）、解像度及び階調性と、保存態様として用いる保存モード、解像度及び階調性と、をそれぞれ指定するよう求める操作画面を提示し、制御部１０は、ユーザから指定された形成態様及び保存態様に基づいて、形成処理及び保存処理を行う。これによって、例えば、ユーザは、保存に必要となる記憶容量や装置の処理速度に応じて、形成態様としてモノクロ／４００ｄｐｉ／多値を選択したり、保存態様としてカラー／２００ｄｐｉ／６４階調を選択することができる。
【図面の簡単な説明】
【００６１】
【図１】本発明の一実施の形態に係る画像形成装置の主な構成を示すブロック図である。
【図２】本発明の一実施の形態に係る制御部が行う主な処理を示す機能ブロック図である。
【図３】本発明の一実施の形態に係る制御部が行う主な処理を示すフロー図である。
【符号の説明】
【００６２】
１  画像形成装置、１０  制御部、１１  形成モード選択処理部、１２  保存モード選択処理部、１３  原稿画像データ取得処理部、１４  画像形成処理部、１５  保存処理部、２０  記憶部、３０  原稿画像読取部、４０  ユーザインターフェース部、５０  出力部。
【図１】
2006279093.tif 000003
【図２】
2006279093.tif 000004
【図３】
2006279093.tif 000005